(57)【特許請求の範囲】
【請求項１】
ホストコンピュータに接続され前記ホストコンピュータとの間で情報の授受を行う画像処理装置であって、
全体制御を司る制御部と、
前記制御部に接続され原稿データを読取情報として読み取るスキャナ部と、
前記スキャナ部での読取情報あるいは前記ホストコンピュータよりの印刷データに基づいて印刷出力するプリンタ部と、
前記制御部と前記ホストコンピュータとの間で情報の授受を行うための第１の双方向インタフェース部と、
前記制御部と前記プリンタ部との間で情報の授受を行うための、前記第１の双方向インタフェースと同じ規格の第２の双方向インタフェース部とを備え、
第１のコピーモード及び第２のコピーモードで動作可能であって、
前記第１のコピーモードでは、前記制御部が前記スキャナ部での読取情報を前記第１の双方向インタフェース部を介して前記ホストコンピュータに送信し、前記制御部が当該読取情報に基づく印刷データを前記第１の双方向インタフェース部を介して前記ホストコンピュータから受け取って該印刷データを前記第２の双方向インタフェース部を介して前記プリンタ部に送信し、前記プリンタ部が印刷出力し、
前記第２のコピーモードでは、前記制御部が前記スキャナ部での読取情報を前記第２の双方向インタフェース部を介して前記プリンタ部へ送信し、前記プリンタ部が印刷出力することを特徴とする画像処理装置。
【請求項２】
前記第１のコピーモードでは、前記ホストコンピュータにより前記読取情報に所定の画像処理を施して得られ、前記制御部に返送された印刷データを前記プリンタ部より印刷出力することを特徴とする請求項１記載の画像処理装置。
【請求項３】
前記第１の双方向インタフェース部及び前記第２の双方向インタフェース部はＩＥＥＥ−Ｐ１２８４規格に準ずるものであることを特徴とする請求項１或いは２に記載の画像処理装置。
【請求項４】
前記第１のコピーモードでは、前記スキャナ部を起動して原稿データを読み取ることを指示するコマンド情報を前記第１の双方向インタフェース部を介して前記ホストコンピュータから前記制御部が受け取ると、前記制御部は前記読取情報を前記ホストコンピュータに送信し、前記プリンタ部を起動して印刷を開始することを指示するコマンド情報を前記第１の双方向インタフェース部を介して前記ホストコンピュータから前記制御部が受け取ると、前記制御部は前記印刷データを前記プリンタ部へ送信することを特徴とする請求項１乃至３のいずれかに記載の画像処理装置。
【請求項５】
更に、印刷モード、画像読取モードで動作可能であって、
前記印刷モードでは、印刷データが前記第１の双方向インタフェース部を介して前記ホストコンピュータから前記第２の双方向インタフェース部を介して前記プリンタ部へ送信され、前記プリンタ部が印刷出力し、
画像読取モードでは、前記スキャナ部での読取情報が前記第１の双方向インタフェース部を介して前記ホストコンピュータへ送信されることを特徴とする請求項１乃至４のいずれかに記載の画像処理装置。
【請求項６】
ホストコンピュータに接続され、全体制御を司る制御部と、該制御部に接続され原稿データを読取情報として読み取るスキャナ部と、前記スキャナ部での読取情報あるいは前記ホストコンピュータよりの印刷データに基づいて印刷出力するプリンタ部とを備えた画像処理装置の制御方法であって、
前記スキャナ部により原稿データを読み取って読取情報を出力する出力工程と、
第１のコピーモード、第２のコピーモードのいずれかを実行する実行工程とを有し、
前記第１のコピーモードでは、前記制御部が前記スキャナ部での読取情報を第１の双方向インタフェース部を介して前記ホストコンピュータへ送信し、前記制御部が当該読取情報に基づく印刷データを前記第１の双方向インタフェース部を介して前記ホストコンピュータから受け取って該印刷データを前記第１の双方向インタフェースと同じ規格の第２の双方向インタフェース部を介して前記プリンタ部に送信し、前記プリンタ部が印刷出力し、
前記第２のコピーモードでは、前記制御部が前記スキャナ部での読取情報を前記第２の双方向インタフェース部を介して前記プリンタ部へ送信し、前記プリンタ部が印刷出力することを特徴とする画像処理装置の制御方法。
【請求項７】
前記第１のコピーモードでは、前記ホストコンピュータにより前記読取情報に所定の画像処理を施して得られ、前記制御部に返送された印刷データを前記プリンタ部より印刷出力することを特徴とする請求項６記載の画像処理装置の制御方法。
【請求項８】
前記第１の双方向インタフェース部及び前記第２の双方向インターフェース部はＩＥＥＥ−Ｐ１２８４規格に準ずるものであることを特徴とする請求項６或いは７に記載の画像処理装置の制御方法。
【請求項９】
前記第１のコピーモードでは、前記スキャナ部を起動して原稿データを読み取ることを指示するコマンド情報を前記第１の双方向インタフェース部を介して前記ホストコンピュータから受け取ると、前記制御部は前記読取情報を前記ホストコンピュータに送信し、前記プリンタ部を起動して印刷を開始することを指示するコマンド情報を前記第１の双方向インタフェース部を介して前記ホストコンピュータから受け取ると、前記制御部は前記印刷データを前記プリンタ部へ送信することを特徴とする請求項６乃至８のいずれかに記載の画像処理装置の制御方法。
【請求項１０】
前記実行工程では、更に、印刷モード及び画像読取モードを含むモードのいずれかを実行し、
前記印刷モードでは、印刷データを前記第１の双方向インタフェース部を介して前記ホストコンピュータから、更に前記第２の双方向インタフェース部を介して前記プリンタ部へ送信し、前記プリンタ部が印刷出力し、
画像読取モードでは、前記スキャナ部での読取情報を前記第１の双方向インタフェース部を介して前記ホストコンピュータへ送信することを特徴とする請求項６乃至９のいずれかに記載の画像処理装置の制御方法。
【発明の詳細な説明】
【０００１】
【産業上の利用分野】
本発明はインタフェースを介してホストコンピュータに接続され該ホストコンピュータとの間で情報の授受を行う画像処理装置およびその制御方法に関するものである。
【０００２】
【従来の技術】
従来のスキャナをホストコンピュータに接続するには、スキャナ専用のインタフェース仕様に従った特別の接続を用いなければならなかった。又、従来のプリンタをコンピュータに接続する場合もプリンタ専用のインタフェース仕様に従った特別の接続が必要であった。
【０００３】
【発明が解決しようとする課題】
このため、ホストコンピュータにスキャナとプリンタを接続するためには、ホストコンピュータ側に複数の異なる仕様のインタフェース手段を必要としているため、使用者にとっては接続が難しく、また、複数のインタフェースを準備するためのコストも負担となっていた。
【０００４】
【課題を解決するための手段】
本発明は上述の課題を解決することを目的として為されたもので、上述の課題を解決する一手段として以下の構成を備える。即ち、ホストコンピュータに接続され前記ホストコンピュータとの間で情報の授受を行う画像処理装置であって、全体制御を司る制御部と、前記制御部に接続され原稿データを読取情報として読み取るスキャナ部と、前記スキャナ部での読取情報あるいは前記ホストコンピュータよりの印刷データに基づいて印刷出力するプリンタ部と、前記制御部と前記ホストコンピュータとの間で情報の授受を行うための第１の双方向インタフェース部と、前記制御部と前記プリンタ部との間で情報の授受を行うための、前記第１の双方向インタフェースと同じ規格の第２の双方向インタフェース部とを備え、第１のコピーモード及び第２のコピーモードで動作可能であって、前記第１のコピーモードでは、前記制御部が前記スキャナ部での読取情報を前記第１の双方向インタフェース部を介して前記ホストコンピュータに送信し、前記制御部が当該読取情報に基づく印刷データを前記第１の双方向インタフェース部を介して前記ホストコンピュータから受け取って該印刷データを前記第２の双方向インタフェース部を介して前記プリンタ部に送信し、前記プリンタ部が印刷出力し、前記第２のコピーモードでは、前記制御部が前記スキャナ部での読取情報を前記第２の双方向インタフェース部を介して前記プリンタ部へ送信し、前記プリンタ部が印刷出力することを特徴とする。
【０００５】
そして例えば、前記第１のコピーモードでは、前記ホストコンピュータにより前記読取情報に所定の画像処理を施して得られ、前記制御部に返送された印刷データを前記プリンタ部より印刷出力することを特徴とする。
【０００６】
【作用】
以上の構成において、スキャナとプリンタを同一の汎用インタフェースを介してホストコンピュータと接続することができ、接続のためのライン数が最少ですみ、高速かつ制御も簡単な情報の授受も可能となると同時に、接続されるコンピュータの種類に限定されない汎用性の高い装置とできる。
【０００７】
【実施例】
以下、図面を参照して本発明に係る一実施例を詳説する。
図１は本発明に係る一実施例の画像処理装置の構成を示すブロック図である。図中、１は本実施例装置の全体制御を司るＣＰＵ、２はＣＰＵ１の制御手順のほか後述するスキャナ及びプリンタのディホルト値を記憶するＲＯＭ、３はスキャナよりの読取データやプリンタへの印刷データ等を一次記憶するＲＡＭである。また４はコピー動作の開始指示入力等を行う操作パネル部であり、例えば、電源スイッチ、オンライン／オフラインキー、モノコピーキー、カラーコピーキー、ストップキー等が配設されている。尚、このキー種類は以上の例に限定されるものではなく、例えばスタートキーのみが設けられており、他は総てホストコンピュータ２００よりの指示で可能な様に構成しても良い。５はスキャナ部１０に対するユーザ固有の色調調整設定値や、プリンタ部２０の出力色調調整設定値を含むホストコンピュータよりの各種設定値を一次保持するバックアップ電源で記憶内容が保護されている設定値保持部である。以上の各構成で本実施例装置の制御部を構成している。
【０００８】
また、１１はセットされた原稿画像を読み取るためのスキャナの機構部、１２はスキャナ機構部１１の原稿読取位置に読取原稿を１枚毎に搬送する自動原稿搬送装置（ＡＤＦ）、１３は原稿よりの読取画像が結像され、対応する電気信号に変換して出力するＣＣＤであり、本実施例ではカラー画像を読取可能なように、赤色（Ｒ），緑色（Ｇ），青色（Ｂ）の三原色の各色毎の検知が可能なＣＣＤである。１４はＣＣＤ１３よりの読取カラー画像信号を受け取り、これを多値データあるいは２値データに変換して、所定量蓄積した後に蓄積画像を例えばＣＰＵ１の制御でＲＡＭ３の所定記憶領域に記憶させる等、必要最小限の処理を施す読取画像処理部であり、読取画像処理部１４はＣＰＵ１とＣＰＵバス６を介して接続されており、読取データの例えばＲＡＭ３への転送はダイレクトメモリアクセス（ＤＭＡ）により行っている。以上の各構成により本実施例のカラー原稿読取可能なスキャナ部１０を形成しており、スキャナ部１０はＣＰＵバス６を介してＣＰＵ１に直接接続されている。このスキャナ部個々の構成は従来のカラースキャナをそのまま利用することができ、一般的なものとすることができる。
【０００９】
更に、２１はカラー印刷が可能なプリンタエンジン部、２２はプリンタ制御部であり、これらで本実施例のプリンタ２０を形成している。本実施例のプリンタエンジン部２１は、カラープリントが可能なインクジェット方式のプリンタ構成であり、プリンタ制御部２２は新たに規格が制定されつつあるＩＥＥＥ−Ｐ１２８４規格、即ち、双方向セントロニクス規格、｛バイセントロ（Ｂｉ−Ｃｅｎｔｒｏ）｝のインタフェース（以下、「バイ・セントロ」と称す）仕様を備えている。そして、制御部１０のＣＰＵバス６と内部バイ・セントロインタフェース４２を介して接続されており、装置内の制御部とプリンタ部２０とを内部的なバイ・セントロインタフェース仕様のケーブル（以下、「内部バイ・セントロ」と称する。）で接続している。なお、内部バイ・セントロインタフェース４２とＣＰＵ１とのデータの授受は、ＤＭＡを用いて高速で行えるように構成されている。尚、以上の説明ではプリンタとしてインクジェット方式を用いたが、この印刷方式に制限はなく、任意の印刷方式のプリンタとすることができる。
【００１０】
本実施例装置には上述した内部バイ・セントロインタフェース４２のほかに、本実施例装置に接続されるホストコンピュータ２００との間の接続のための外部バイ・セントロインタフェース３２が備えられており、ホストコンピュータ２００との間はバイ・セントロ仕様のインタフェースを介して接続可能であり、非常に簡単な構成で足りるバイ・セントロ仕様の通信媒体で接続することができる。
【００１１】
本実施例ではこのようにスキャナ部を含む本実施例装置とホストコンピュータ間をバイ・セントロインタフェースで接続したため、インタフェース部の構成が簡略化できると共に、データの転送速度も高速なものとでき、また、一般的な汎用インタフェースということのできるバイ・セントロ仕様のインタフェースにそのまま接続するのみで利用することができ、接続されるコンピュータを選ぶことがなくなる画像処理装置が提供できる。
【００１２】
２００はホストコンピュータであり、本実施例装置の制御用のプログラム５０を読み込んで動作させることにより、本実施例装置を制御する。
本実施例の装置は、パーソナルユースにも対応できるようにするために、装置本体の構成をできるだけ簡略化し、製造原価を低減することを目指しており、読取画像に対する各種画像処理や印刷出力のための再現色空間整合処理を含む印刷出力のための各種の画像処理をコンピュータを使用して行うように構成し、この処理プログラムを例えばフレキシブルディスクや、ＣＤ−ＲＯＭ等に記憶させておき、本実施例装置本体と共に一体に販売する。
【００１３】
そして、ユーザは自己で保有しているパーソナルコンピュータにこの処理プログラムを読み込ませて記憶させ、この制御プログラムを動作させることにより、本実施例装置を実際に動作させることができるように構成する。即ち、読取画像に対する一般的な画像処理、編集画像の接続プリンタに対応する一般的な画像処理等は総てこのホストコンピュータ２００に記憶されている制御プログラムに従って行う。
【００１４】
従来は、ホストコンピュータの負荷を減らすことを第１義的に考慮してきたが、記憶装置の大容量化及び低価格化、ＣＰＵの処理能力の向上等近年のコンピュータ及び関連機器の価格の劇的な性能向上／価格低下に対応して本実施例の如きスキャナ／プリンタ等で自装置の必要とする全ての処理を装置内だけで実行させるのではなく、高性能のＣＰＵを搭載したホストコンピュータにこれらの処理を達成するプログラムを含む各種制御をプログラムを記憶させ、係るプログラムを用いてホストコンピュータで一般的な各種画像処理や機構部の制御等を行わせている。
【００１５】
この結果、装置本体はメカ的なものを中心とした必要最小限の構成とでき、装置本体の価格を低く抑えることが可能となる。
また、画像処理や装置制御の主導がホストコンピュータ２００側にあることより、画像処理技術の向上等により装置のバージョンアップが必要となった場合においても、装置全体を取り替えたり、専用のサービスマンが装置の内部を改造する等の操作を行うことなく、単に制御プログラムを入れ直すことで対処でき、メイテナンスの面でも非常に優れたものとすることができる。
【００１６】
ところで、本実施例は以上の例に限定されるものではなく、読取画像処理部１４及びＣＰＵ１で各種の一般的な画像処理を行うように構成し、また、プリンタ制御部２２に別途受け取った画像データをプリンタエンジン部２１で印刷出力すべき画像データに変換して出力するためのＣＰＵを含む専用の画像処理部を含む構成とし、ホストコンピュータ側と画像処理装置側とが共に画像処理機能を持つ構成とすることができる。この様に構成することにより、例えばスキャナ部１０で読み取った画像をプリンタ２０で印刷出力する所謂複写機として用いる様な場合に、ホストコンピュータ２００に過大の負荷をかけることなく上記処理を実行することができる。また、更に言うと、プリンタ部２０は独立したＩ／Ｏ装置として位置付けることができ、例えばバイ・セントロインタフェースを備えてさえいれば、任意の異なるプリンタ部を交換して接続することも可能であり、装置のグレードアップ等にも容易に対応できる。
【００１７】
いずれの場合においても、ホストコンピュータ２００においては、本実施例装置をカラー画像読取装置として使用するカラー読取動作モード、本実施例装置をカラープリンタ装置として使用するカラー印刷動作モード、本実施例装置をカラー複写装置として使用するカラーコピー動作モードの少なくとも３つの動作モードを実行できる単一のドライバを有する構成とし、ホストコンピュータ２００の使用者がアプリケーションプログラムを実行中に、上記いずれかの動作モードで本実施例装置を使用する場合には、ホストコンピュータ２００のＯＳプログラムが上述のドライバを実行させ、所望動作を実現可能に構成する。尚、ここで、上記３つの動作モードに夫々対応するドライバを用意することも可能である。
【００１８】
以上の構成を備える本実施例装置の動作の概要を以下に説明する。
［カラー画像読取処理］
本実施例におけるカラー画像の読取処理の概要を図２に示す。
図２に示すように本実施例装置を用いてカラー原稿画像を読み取るには、ホストコンピュータ２００は本実施例装置用の制御プログラム５０の例えばスキャナドライバを起動し、装置の状態を示すステータス情報の送出要求を出力し、この要求に対応して送られてくる装置ステータスを外部バイ・セントロ３０を介して受信する（▲１▼）。ここには、読取原稿がスキャナ１０にセットされているか否かの状態及びオンライン／オフライン状態、作業中を示すビジー、エラー等を示すステータスなどがある。
【００１９】
そして、ホストコンピュータ２００はステータスを読み込んだ結果装置が稼動可能状態であると判断すると、スキャナを起動して原稿画像を読み取ることを指示するコマンド情報を外部バイ・セントロ３０を介してＣＰＵ１に出力する（▲２▼）。
このコマンドをＣＰＵ１が解析してスキャナ１０を起動して読取動作を開始し、読取カラー情報を外部バイ・セントロ３０を介してホストコンピュータ２００に送信する（▲１▼）。これにより、ホストコンピュータ２００の制御に基づくカラー原稿読取動作が実現する。
【００２０】
［カラー印刷動作］
本実施例におけるカラー印刷動作の概要を図３に示す。
図３に示すように本実施例装置を用いてカラー画像を印刷出力するには、ホストコンピュータ２００は本実施例装置用の制御プログラム５０の例えばプリンタドライバを起動し、外部バイ・セントロ３０を介してＣＰＵ１に対して本実施例装置の状態を示すステータス情報の送出要求を出力する（▲３▼）。外部バイ・セントロ３０を介してこの要求を受け取ったＣＰＵ１は、今度は内部バイ・セントロ４０を介してプリンタ２０にステータス情報の送出要求を行う（▲５▼）。
【００２１】
プリンタ２０は、記録用紙がセットされているか否かの状態、及びエラー等を示すステータスを内部バイ・セントロ４０を介してＣＰＵ１に返送する（▲６▼）。このプリンタ２０よりのステータスを受け取ったＣＰＵ１は、装置の現在のオンライン／オフライン状態、作業中を示すビジー等を示すステータスと併せて本実施例装置としてのステータス情報を生成してホストコンピュータ２００に外部バイ・セントロ３０を介して送信する。ホストコンピュータ２００はこの装置ステータスを外部バイ・セントロ３０を介して受信する（▲４▼）。
【００２２】
そして、ホストコンピュータ２００は装置が稼動可能状態であると判断するとプリンタ２０を起動して印刷を開始することを指示するコマンド情報及び印刷データを外部バイ・セントロ３０を介してＣＰＵ１に出力する（▲３▼）。
このコマンド及び印刷データを受け取ったＣＰＵ１は、プリンタ２０を起動して順次ホストコンピュータ２００より送られてくる印刷データを所定量毎に内部バイ・セントロ４０を介してプリンタ２０に送信する（▲５▼）。この印刷情報を受け取ったプリンタ２０では順次この送られてくる印刷データに従って記録用紙を給紙し、カラー印刷を行う。これにより、ホストコンピュータ２００の制御に基づくカラー印刷動作が実現する。
【００２３】
［カラーコピー動作］
本実施例におけるカラーコピー動作の概要を図４に示す。
図４に示すように本実施例装置を用いてカラー画像をコピー出力するには、ホストコンピュータ２００は本実施例装置用の制御プログラム５０の例えばコピードライバ、あるいはスキャナドライバ及びプリンタドライバを起動し、外部バイ・セントロ３０を介してＣＰＵ１に対して本実施例装置の状態を示すステータス情報の送出要求を出力する（▲７▼）。外部バイ・セントロ３０を介してこの要求を受け取ったＣＰＵ１は、今度は内部バイ・セントロ４０を介してプリンタ２０にステータス情報の送出要求を行う（▲９▼）。
【００２４】
プリンタ２０は、記録用紙がセットされているか否かの状態、及びエラー等を示すステータスを内部バイ・セントロ４０を介してＣＰＵ１に返送する（１０）。このプリンタ２０よりのステータスを受け取ったＣＰＵ１は、装置の現在のオンライン／オフライン状態、及び読取原稿がスキャナ１０にセットされているか否かの状態、作業中を示すビジー等を示すステータスと併せて本実施例装置としてのステータス情報を生成してホストコンピュータ２００に外部バイ・セントロ３０を介して送信する。ホストコンピュータ２００はこの装置ステータスを外部バイ・セントロ３０を介して受信する（▲８▼）。
【００２５】
そして、ホストコンピュータ２００はステータスを読み込んだ結果装置が稼動可能状態であると判断すると、スキャナを起動して原稿画像を読み取ることを指示するコマンド情報を外部バイ・セントロ３０を介してＣＰＵ１に出力する（▲７▼）。
このコマンドをＣＰＵ１が解析してスキャナ１０を起動して読取動作を開始し、読取カラー情報を外部バイ・セントロ３０を介してホストコンピュータ２００に送信する（▲８▼）。これにより、ホストコンピュータ２００の制御に基づくカラー原稿読取動作が実現する。ホストコンピュータ２００は、この受け取った読取画像に所定の画像処理、例えば色再現範囲整合処理やレイアウト処理が必要な場合にはこれを実行して印刷データとし、これらの処理が本実施例装置で行っている場合には受取り読取データを印刷データとする。
【００２６】
このようにして必要な画像処理などが終了すると、ホストコンピュータ２００はプリンタ２０を起動して印刷を開始することを指示するコマンド情報及び印刷データを外部バイ・セントロ３０を介してＣＰＵ１に出力する（▲７▼）。
このコマンド及び印刷データを受け取ったＣＰＵ１は、プリンタ２０を起動して順次ホストコンピュータ２００より送られてくる印刷データを所定量毎に内部バイ・セントロ４０を介してプリンタ２０に送信する（▲９▼）。この印刷情報を受け取ったプリンタ２０では順次この送られてくる印刷データに従って記録用紙を給紙し、カラー印刷を行う。これにより、ホストコンピュータ２００の制御に基づくカラコピー動作が実現する。
【００２７】
スキャナ１０よりの読取原稿が複数の場合には順次読取データのホストコンピュータ２００ヘの送信及び印刷データの受信を行う。
以上の説明では、各種の画像処理を主にホストコンピュータ２００側で行うように構成した場合の処理であるが、本実施例の読取画像処理部１４及びプリンタ処理部２２及びＣＰＵ１でコピー動作に必要な画像の処理が実行可能とし、読取画像を外部バイ・セントロ３０を介してホストコンピュータ２００に送ることはせず、ＣＰＵ１がスキャナ１０より受け取ったカラー読取情報を内部バイ・セントロ４０を介して直接にプリンタ部位２０に送るように制御することができる。この場合には、外部バイ・セントロ３０を介しての画像データの転送の必要がなくなり、ホストコンピュータ２００の負荷が低減されると共に処理も簡略化でき、ホストコンピュータ２００の状態にかかわらずオフラインでのコピー処理も可能となる。したがって、許される限り本実施例装置単独である程度の画像処理を実行可能に構成し、特殊の画像処理をホストコンピュータ２００で実行できるように構成することが望ましい。
【００２８】
なお、以上の説明におけるスキャナ１０及びプリンタ２０の読取時あるいは印刷時の色調調整は、予めＲＯＭ２内などに登録されている標準のディホルト値あるいは設定値保持部５に登録されているホストコンピュータ２００ユーザ独自の再調整値に従っておこなわれる。そして、総ていずれかの設定値で処理するモードと、該当する１回の印刷処理時のみいずれかの設定値で処理するモードとを選択実行可能である。
【００２９】
なお、以上の説明は、本発明の一実施例について説明したものであり、本発明の適用範囲は本実施例に限定されるものではない。
以上説明したように本実施例によれば、ホストコンピュータ２００と、スキャナ装置として本実施例装置をバイ・セントロを介して接続したため、汎用のインタフェースでありながら高速での情報の授受が可能となり、しかも接続のための通信媒体も簡単な構成とでき、接続されるコンピュータの機種にかかわらず広く接続可能である。さらに、装置側にプリンタを内蔵する構成としているため、スキャナとしての動作に加えてプリンタとしても動作も可能であり、更に複写機としての動作も可能である。
【００３０】
なお、本発明は、複数の機器から構成されるシステムに適用しても、１つの機器からなる装置に適用してもよい。
また、本発明は、システムあるいは装置にプログラムを供給することによって達成される場合にも適用できることはいうまでもない。
【００３１】
【発明の効果】
以上説明したように本発明によれば、汎用のインタフェースフェース仕様を介してスキャナ等の画像処理装置をホストコンピュータと接続することができ、接続のためのライン数も最小で済み、高速且つ制御も簡単な情報の授受も可能となる。しかも、接続されるコンピュータの種類に限定されない汎用性の高い装置とすることができる。
【図面の簡単な説明】
【図１】本発明に係る一実施例のの構成を示す図である。
【図２】本実施例装置のカラー画像読取動作モードを説明する図である。
【図３】本実施例装置のカラー印刷動作を説明する図である。
【図４】本実施例装置のコピー動作を説明する図である。
【符号の説明】
１    ＣＰＵ
２    ＲＯＭ
３    ＲＡＭ
４    操作パネル部
５    設定値保持部
１０    スキャナ部
１１    スキャナの機構部
１２    自動原稿搬送装置（ＡＤＦ）
１３    ＣＣＤ
１４    読取画像処理部
２０    プリンタ部
２１    プリンタエンジン部
２２    プリンタ制御部
３０    外部バイ・セントロ
３２    外部バイ・セントロインタフェース
４０    内部バイ・セントロ
４２    内部バイ・セントロインタフェース
２００    ホストコンピュータ
【図１】
0003571787.tif 000002
【図２】
0003571787.tif 000003
【図３】
0003571787.tif 000004
【図４】
0003571787.tif 000005